【事件の表示】
　特許第３１５３７８８号「表示装置の駆動回路」の請求項１に係る特許に対する特許異議の申立てについて、次のとおり決定する。
【結　論】
　訂正を認める。
　特許第３１５３７８８号の請求項１に係る特許を取り消す。
【理　由】
１．手続の経緯
　特許第３１５３７８８号の請求項１に係る発明についての出願は、平成３年６月１０日に出願した特願平３−１３８０２８号を平成９年９月２６日に新たな特許出願としたものであって、平成１３年１月２６日にその発明についての特許権の設定登録がなされ、平成１３年１０月５日にその特許について特許異議申立人古川京子より特許異議の申立てがなされ、平成１３年１２月２５日付で取消理由通知がなされ、その指定期間内である平成１４年３月１２日付で訂正請求がなされたものである。
　
２．訂正の適否についての判断
２−１．訂正の内容
(a)　特許請求の範囲の請求項１を、
「並行する複数の信号電極と、該信号電極と交叉する複数の走査電極と、該信号電極と該走査電極との各交点の近傍に設けられ該信号電極および該走査電極に接続されるＴＦＴと、該ＴＦＴによって駆動される絵素電極と、該絵素電極に対向して設けられ交流信号が印加される対向電極と、を有する表示装置の駆動回路であって、
　前記駆動回路は、前記信号電極に接続されるソースドライバと、前記走査電極に接続されるゲートドライバと、前記対向電極に交流信号を印加する対向電圧発生回路と、該ソースドライバ、ゲートドライバおよび対向電圧発生回路に制御信号を入力するコントロール回路と、前記ゲートドライバに電圧を供給する電源回路とを有し、
　前記ＴＦＴのゲートＯＦＦ期間に、前記電源回路が前記対向電圧発生回路から出力された前記対向電極に印加される交流信号に基づいて生成される、前記交流信号と同じ位相および振幅の交流の信号によって前記走査電極に送出される走査パルスのレベルを設定し、これによって、前記ＴＦＴのゲートＯＦＦ期間に、前記交流信号と同じ位相および振幅の前記交流の信号が、走査パルスとして前記ゲートドライバより前記走査電極に送出されることを特徴とする表示装置の駆動回路。」
　と訂正する。
(b)　明細書の「課題を解決するための手段」の項を
「本発明の表示装置の駆動回路は、並行する複数の信号電極と、該信号電極と交叉する複数の走査電極と、該信号電極と該走査電極との各交点の近傍に設けられ該信号電極および該走査電極に接続されるＴＦＴと、該ＴＦＴによって駆動される絵素電極と、該絵素電極に対向して設けられ交流信号が印加される対向電極と、を有する表示装置の駆動回路であって、前記駆動回路は、前記信号電極に接続されるソースドライバと、前記走査電極に接続されるゲートドライバと、前記対向電極に交流信号を印加する対向電圧発生回路と、該ソースドライバ、ゲートドライバおよび対向電圧発生回路に制御信号を入力するコントロール回路と、前記ゲートドライバに電圧を供給する電源回路とを有し、前記ＴＦＴのゲートＯＦＦ期間に、前記電源回路が前記対向電圧発生回路から出力された前記対向電極に印加される交流信号に基づいて生成される、前記交流信号と同じ位相および振幅の交流の信号によって前記走査電極に送出される走査パルスのレベルを設定し、これによって、前記ＴＦＴのゲートＯＦＦ期間に、前記交流信号と同じ位相および振幅の前記交流の信号が、走査パルスとして前記ゲートドライバより前記走査電極に送出されることを特徴としており、そのことにより上記目的が達成される。」
　と訂正する。
　
２−２．訂正の目的の適否、新規事項の有無及び拡張・変更の存否
　第一に、上記訂正事項(a)は、特許請求の範囲の減縮を目的とするものであり、新規事項の追加に該当せず、実質上特許請求の範囲を拡張し、又
は変更するものではない。
　第二に、上記訂正事項(b)は、上記訂正事項(a)に対応して明細書を訂正するものであって、明りょうでない記載の釈明を目的とし、新規事項の追加に該当せず、実質上特許請求の範囲を拡張し、又は変更するものではない。
　
２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．本件発明
　本件特許の請求項１に係る発明は、訂正明細書および図面の記載からみて、その特許請求の範囲請求項１に記載されたとおりの次のものである。(以下「本件発明」という。)
　
「並行する複数の信号電極と、該信号電極と交叉する複数の走査電極と、該信号電極と該走査電極との各交点の近傍に設けられ該信号電極および該走査電極に接続されるＴＦＴと、該ＴＦＴによって駆動される絵素電極と、該絵素電極に対向して設けられ交流信号が印加される対向電極と、を有する表示装置の駆動回路であって、
　前記駆動回路は、前記信号電極に接続されるソースドライバと、前記走査電極に接続されるゲートドライバと、前記対向電極に交流信号を印加する対向電圧発生回路と、該ソースドライバ、ゲートドライバおよび対向電圧発生回路に制御信号を入力するコントロール回路と、前記ゲートドライバに電圧を供給する電源回路とを有し、
　前記ＴＦＴのゲートＯＦＦ期間に、前記電源回路が前記対向電圧発生回路から出力された前記対向電極に印加される交流信号に基づいて生成される、前記交流信号と同じ位相および振幅の交流の信号によって前記走査電極に送出される走査パルスのレベルを設定し、これによって、前記ＴＦＴのゲートＯＦＦ期間に、前記交流信号と同じ位相および振幅の前記交流の信号が、走査パルスとして前記ゲートドライバより前記走査電極に送出されることを特徴とする表示装置の駆動回路。」
　
４．刊行物
　平成１３年１２月２５日付取消理由通知では、下記刊行物を引用した。
　
刊行物１　　特開平２−７７７２２号公報
            (特許異議申立人古川京子の提出した甲第１号証)
刊行物２　　特開昭６０−８３４７７号公報
            (特許異議申立人古川京子の提出した甲第２号証)
刊行物３　　特開昭６２−７３２３５号公報
            (特許異議申立人古川京子の提出した参考資料１)
　
４−１．刊行物１
　上記刊行物１には下記の記載がある。
　
「第１図に、本発明による液晶表示装置の一実施例を示す。１はアクティブマトリクス方式液晶パネル、Ｄは列信号電極、Ｇは行走査電極、Ｃは対向共通電極、Ｓは画素駆動電極、Ｍは画素トランジスタ、ＣＧＳはゲート・ソース間容量、ＬＣは液晶セル、Ｖｉ(i=1,2,3…)は直流バイアス電圧源、ＳＣ及び、ＳＧ１、ＳＧ２は切換スイッチである。」(公報第２頁右上欄第８〜１５行)
「液晶パネルの一方の内面に複数の画素トランジスタが形成され、これら画素トランジスタが選択的にオン・オフ制御され、その選択された画素トランジスタのソースに接続された画素電極と、上記液晶パネルの他方の内面に形成された対向共通電極との間に交番電圧を印加して表示制御を行う液晶表示装置において、該画素トランジスタがオフ期間にゲートに印加する電位として、上記交番電圧の交番タイミングに同期して、異なる２値の電位を切換えて与えることを特徴とする液晶表示装置。」(公報第１頁左下欄第５〜１５行)
「対向共通電極Ｃは、スイッチＳＣにより、フィールド毎に電位Ｖ４とＶ５(Ｖ５＞Ｖ４とする)が交互に与えられる。行走査電極Ｇは、スイッチＳＧｉ(i=1,2, …)により、１フィールドに１回順次選択され、選択時に画素トランジスタＭをオンにする電位Ｖ１が、非選択時には対向共通電極Ｃに与えられる電位の切換えタイミングに同期して画素トランジスタＭをオフにする電位Ｖ２又はＶ３(Ｖ２＞Ｖ３)が切換えて与えられる。」(公報第２頁左下欄第３〜１１行)
「従って、第１図の実施例に示したように、行走査電極Ｇのオフ電位を対向共通電極Ｖ０と同じタイミングで印加電圧を切換えることにより、従来の行走査電極Ｇのオフ電位固定方式に比べ、垂直輝度傾斜を軽減することができる。他の寄生容量、電圧依存性等を考えなければ、特に行走査電極Ｇのオフ電位変化振幅(Ｖ２−Ｖ３)を対向共通電極Ｃの電位変化振幅(Ｖ５−Ｖ４)とほぼ等しくすることにより、垂直輝度傾斜はほとんどなくなる。」(公報第３頁左下欄第１０〜１８行)
「前記の条件に代入すると、
　Ｖ２−Ｖ３＝Ｖ５−Ｖ４
　が得られる。」(公報第３頁右上欄第１３〜１５行)
「本発明の他の実施例による液晶表示装置を第４図に示す。第１図の実施例は、行走査電極Ｇに与える電位を、３接点の切換スイッチで与えていたが、第２図の実施例では、従来のオフ電位固定方式を用いた垂直走査回路２(１フィールドに１回順次選択出力するシフトレジスタ３により、各２接点の切換スイッチを制御し２値の電位を順次出力する。)を用い、そのオフ電位を共通のスイッチで切換えている。液晶パネル１の動作自体は、第１図の実施例と同様である。この第２図の実施例によれば、本発明の実施に当り、専用の垂直走査回路が必要なく、従来からある垂直走査ＩＣを流用できる利点がある。」(公報第３頁右下欄第５〜１７行)
　そして、第１図からは、列信号電極Ｄが平行して複数存在すること、行走査電極Ｇが複数存在し列信号電極Ｄと交叉していること、画素トランジスタＭが列信号電極Ｄと行走査電極Ｇの交点の近傍に設けられ列信号電極Ｄと行走査電極Ｇに接続されていること、および、液晶セルＬＣの画素駆動電極Ｓが画素トランジスタＭで駆動されることがみてとれる。
　
　ここで、上記記載を検討する。
　第一に、第１図の記載から、上記刊行物１には「並行する複数の列信号電極Ｄと、該列信号電極Ｄと交叉する複数の行走査電極Ｇと、該列信号電極Ｄと行走査電極Ｇとの各交点の近傍に設けられ該列信号電極Ｄおよび該行走査電極Ｇに接続される画素トランジスタＭ、該画素トランジスタＭによって駆動される画素駆動電極Ｓと、該画素駆動電極Ｓに対向して設けられ交流信号が印加される対向共通電極Ｃと、を有する表示装置の駆動回路」が記載されていることは明らかである。
　第二に、「行走査電極Ｇは、スイッチＳＧｉ(i=1,2, …)により、１フィールドに１回順次選択され、選択時に画素トランジスタＭをオンにする電位Ｖ１が、非選択時には対向共通電極Ｃに与えられる電位の切換えタイミングに同期して画素トランジスタＭをオフにする電位Ｖ２又はＶ３(Ｖ２＞Ｖ３)が切換えて与えられる。」「第１図の実施例は、行走査電極Ｇに与える電位を、３接点の切換スイッチで与えていたが、第２図の実施例では、従来のオフ電位固定方式を用いた垂直走査回路２(１フィールドに１回順次選択出力するシフトレジスタ３により、各２接点の切換スイッチを制御し２値の電位を順次出力する。)を用い、そのオフ電位を共通のスイッチで切換えている。」との記載からみて、上記刊行物１記載の発明は「スイッチＳＧｉ(i=1, 2, …)により前記画素トランジスタＭのオフ期間に行走査電極Ｇに印加される電位」を切り換えているものである。
　第三に、「対向共通電極Ｃは、スイッチＳＣにより、フィールド毎に電位Ｖ４とＶ５(Ｖ５＞Ｖ４とする)が交互に与えられる。」という記載からみて、上記刊行物１記載の発明は「スイッチＳＣによって前記対向共通電極Ｃに印加される電位」を切り換えているものである。
　第四に、「非選択時には対向共通電極Ｃに与えられる電位の切換えタイミングに同期して画素トランジスタＭをオフにする電位Ｖ２又はＶ３(Ｖ２＞Ｖ３)が切換えて与えられる。」「行走査電極Ｇのオフ電位変化振幅(Ｖ２−Ｖ３)を対向共通電極Ｃの電位変化振幅(Ｖ５−Ｖ４)とほぼ等しくする」「前記の条件に代入すると、Ｖ２−Ｖ３＝Ｖ５−Ｖ４が得られる。」との記載からみて、上記刊行物１記載の発明の「行走査電極Ｇに印加される電位」と「対向共通電極Ｃに印加される電位」は、「同じ位相および振幅で変化」するものである。
　
　したがって、上記刊行物１には「並行する複数の列信号電極Ｄと、該列信号電極Ｄと交叉する複数の行走査電極Ｇと、該列信号電極Ｄと行走査電極Ｇとの各交点の近傍に設けられ該列信号電極Ｄおよび該行走査電極Ｇに接続される画素トランジスタＭ、該画素トランジスタＭによって駆動される画素駆動電極Ｓと、該画素駆動電極Ｓに対向して設けられ交流信号が印加される対向共通電極Ｃと、を有する表示装置の駆動回路であって、スイッチＳＧｉ(i=1, 2, …)により前記画素トランジスタＭのオフ期間に行走査電極Ｇに印加される電位と、スイッチＳＣによって前記対向共通電極Ｃに印加される電位を同じ位相および振幅で変化させることを特徴とする表示装置の駆動回路。」(以下「刊行物１記載の発明」)が記載されている。
　
４−２．刊行物２
　上記刊行物２には下記の記載がある。
　
「スイッチングトランジスタを用いた液晶表示装置の駆動回路の１例を第３図にブロック回路で示す。図において、２１は液晶パネルである。２２は行電極ドライバーで、走査パルスを各行電極に出力する。２３は列電極ドライバーで、直列に送られてくる各列に対応した映像信号を並列の信号に変換し、各列電極に同時に出力する。２４は映像信号処理回路で、例えばテレビ放送の映像信号を液晶の駆動に適した波形に変換する。２５，２６は反転及び非反転の増幅回路で、反転及び非反転の映像信号をフィールド毎にスイッチ２７で切り換えて列電極ドライバーに供給する。２８は上記動作を制御するコントロール回路である。」(公報第２頁左下欄第２〜１４行)
「第６図は本発明の１実施例を示す駆動回路のブロック図である。マトリックス状に配列された行電極と列電極の各交点に薄膜スイッチングトランジスタを形成するとともにこれに連結された表示絵素電極を配設して成る透明基板３１と表示絵素電極に対向して対向電極を形成した透明基板３２及びこれら２つの基板３１，３２間に封入された液晶層とにより表示パネルが構成されている。透明基板３１の行電極には行電極ドライバー３３、列電極には列電極ドライバー３４が接続されている。一方、映像信号を受信して液晶の駆動に適した形に変換する映像信号処理回路３５には反転、非反転の増幅回路３６，３７が接続され、映像信号をそれぞれスイッチ３８によりフィールド毎に反転して列電極ドライバー３４に加える。また映像信号処理回路３５にはコントロール回路３９が接続され、更にコントロール回路３９には対向電極に印加する電圧波形を発生する対向電極信号発生回路４０が連結されている。映像信号処理回路３５で受信された映像信号は液晶の駆動に適した波形に処理されて増幅回路３６，３７及びコントロール回路３９へ送られる。増幅回路３６，３７は反転及び非反転の映像信号をフィールド毎にスイッチ３８で切り換えてそれぞれ列電極ドライバ３４へ送出する。スイッチ３８の切換制御は映像信号のフィールド単位で出力されるコントロール回路３９からの制御信号により行われる。コントロール回路３９はまた行電極ドライバー３３から各行電極へ出力される走査パルスのタイミングを制御している。コントロール回路３９に接続された対向電極信号発生回路４０からは対向電極に、液晶層の閾値電圧ＶＴに相当する電圧が実効値として液晶層に印加されるように、即ち、列電極に印加される電圧が零の時、液晶層にＶＴの電圧が印加されるように、制御電圧が出力される。」(公報第４頁左上欄第１４行〜左下欄第８行)
　
　したがって、上記刊行物２には「マトリックス状に配列された行電極と列電極の各交点に形成した薄膜スイッチングトランジスタを用いた液晶表示装置の駆動回路において、行電極ドライバーと列電極ドライバーと対向電極信号発生回路とそれらの動作を制御するコントロール回路を有することを特徴とする液晶表示装置の駆動回路」(以下「周知事項１」という。)が記載されている。
　
４−３．刊行物３
　上記刊行物３には下記の記載がある。
　
「本発明は表示装置の駆動方法に係り、特に透明基板上に形成した薄膜トランジスタ(ＴＦＴ)を用いた液晶アクティブマトリックスデスプレイの駆動方法に関する。」(公報第１頁左下欄第２０行〜右下欄第３行)
　
　したがって、上記刊行物３には「液晶アクティブマトリックスデスプレイの駆動において薄膜トランジスタ(ＴＦＴ)を用いること」(以下「周知事項２」という。)が記載されている。
　
５．周知例
　当審において発見した特開昭５７−１７６８３７号公報(以下「周知例」という。)には下記の記載がある。
　
「第８図は第６図の回路において、入力端子ＩＮに加えられた信号パルスが、レベルシフトを受けて出力端子ＯＵＴに現われる際の電圧波形を示した図である。」(公報第３頁第１０〜１３行)
「第１０図は本発明の他の実施例の構成を示す図である。第１０図の回路は１つの入力端子ＩＮと２つの出力端子ＯＵＴ１，ＯＵＴ２を有し、出力端子ＯＵＴ２には、直列接続された４つのダイオード、Ｄ１，Ｄ２，Ｄ３，Ｄ４を介して入力端子ＩＮが、また、抵抗Ｒを介して負電源ＶＳＳが接続され、他方の出力端子ＯＵＴ１はダイオードＤ２とＤ３の接続点から取り出されており、入力端子ＩＮと出力端子ＯＵＴ１，ＯＵＴ２の間には、それぞれコンデンサ、Ｃ１，Ｃ２が挿入されている。
　第１０図において、入力端子ＩＮと、出力端子ＯＵＴ２の関係は、第９図においてダイオードの数が２つから４つに増えている以外、全く変わりがない。
　この回路において、両出力端子ＯＵＴ１，ＯＵＴ２の直流的な信号レベルは、ＯＵＴ１がダイオードＤ１，Ｄ２、ＯＵＴ２がダイオードＤ１，Ｄ２，Ｄ３，Ｄ４による電圧降下分だけのレベル・シフトを受けたものとなる。一方、スイッチング動作時の過渡的な電流は、ダイオードに並列接続された容量Ｃ１，Ｃ２を介して供給される。従って、出力端子ＯＵＴ１は、ＯＵＴ２と同様の高速動作を行い、かつ、ＯＵＴ２と異なるレベルを出力できる。」(公報第３頁右下欄第１５行〜第４頁左上欄第１８行)
　
　したがって、上記周知例には「入力端子ＩＮ，出力端子ＯＵＴ１，出力端子ＯＵＴ２を有し、入力端子ＩＮと出力端子ＯＵＴ１の間にダイオードＤ１，Ｄ２を接続し、出力端子ＯＵＴ１と出力端子ＯＵＴ２の間にダイオードＤ３，Ｄ４を接続し、入力端子ＩＮと出力端子ＯＵＴ１の間にコンデンサを接続し、入力端子ＩＮと出力端子ＯＵＴ２の間にコンデンサを接続した回路であって、上記入力端子ＩＮに加えられたパルスを、レベルシフトして出力端子ＯＵＴ１，出力端子ＯＵＴ２に出力する回路」(以下「周知事項３」という。)が記載されている。
　
６．対比
　ここで、本件発明と上記刊行物１記載の発明を比較する。
　
　第一に、上記刊行物１記載の発明の「列信号電極Ｄ」「行走査電極Ｇ」「画素駆動電極Ｓ」「対向共通電極Ｃ」が、本件発明の「信号電極」「走査電極」「絵素電極」「対向電極」に相当することは明らかである。
　第二に、上記刊行物１記載の発明の「画素トランジスタＭ」は、列信号電極Ｄと行走査電極Ｇの交点の近傍に設けられ、列信号電極Ｄと行走査電極Ｇに接続されるとともに、画素駆動電極Ｓを駆動しているという点で、本件発明の「ＴＦＴ」と同一の機能を有している。
　第三に、上記刊行物１記載の発明の「スイッチＳＧｉ(i=1, 2, …)」「スイッチＳＣ」は、それぞれ行走査電極Ｇ、対向共通電極Ｃの電位を制御するものであるという点で、本件発明の「ゲートドライバ」「対向電圧発生回路」に相当する。
　第四に、上記刊行物１記載の発明の「スイッチＳＧｉ(i=1, 2, …)により前記画素トランジスタＭのオフ期間に行走査電極Ｇに印加される電位と、スイッチＳＣによって前記対向共通電極Ｃに印加されるを同じ位相および振幅で変化させる」という動作によって行走査電極Ｇに与えられる電位変化と、本件発明の「電源回路」が行っている「前記ＴＦＴのゲートＯＦＦ期間に、」「前記対向電圧発生回路から出力された前記対向電極に印加される交流信号と同じ位相および振幅の交流の信号によって前記走査電極に送出される走査パルスのレベルを設定する」という動作によって走査電極に与えられる電位変化が同じものとなっていることも明らかである。
　
　したがって、本件発明と上記刊行物１記載の発明は「並行する複数の信号電極と、該信号電極と交叉する複数の走査電極と、該信号電極と該走査電極との各交点の近傍に設けられ該信号電極および該走査電極に接続される画素トランジスタと、該画素トランジスタによって駆動される絵素電極と、該絵素電極に対向して設けられ交流信号が印加される対向電極と、を有する表示装置の駆動回路であって、前記駆動回路は、前記走査電極に接続されるゲートドライバと、前記対向電極に交流信号を印加する対向電圧発生回路とを有し、前記画素トランジスタのゲートＯＦＦ期間に、前記対向電圧発生回路から出力された前記対向電極に印加される交流信号と同じ位相および振幅の交流の信号によって前記走査電極に送出される走査パルスのレベルを設定することを特徴とする表示装置の駆動回路。」という点で一致し、下記の点で相違する。
　
(あ)　本件発明は「信号電極に接続されるソースドライバ」「ソースドライバ、ゲートドライバおよび対向電圧発生回路に制御信号を入力するコントロール回路」を有しているのに対し、上記刊行物１記載の発明には、そのような回路が記載されていない点。
(い)　本件発明は「ＴＦＴ」を用いているのに対し、上記刊行物１記載の発明は「画素トランジスタ」を用いることは記載されているものの、「ＴＦＴ」であるか否か明らかではない点。
(う)　本件発明では「電源回路」が「前記対向電圧発生回路から出力された前記対向電極に印加される交流信号に基づいて生成される、前記交流信号と同じ位相および振幅の交流の信号によって前記走査電極に送出される走査パルスのレベルを設定」する動作を行っているのに対し、上記刊行物１記載の発明では「対向共通電極Ｃに印加される電位」は「スイッチＳＣ」により切り換えられ、「行走査電極Ｇに印加される電位」は「スイッチＳＧｉ(i=1, 2, …)」によって切り換えられ、これら別個のスイッチによって切り換えられた結果電位が「同じ位相および振幅で変化」しているにすぎない点。
　
７．当審の判断
　ここで、上記相違点について検討する。
　
７−１．相違点(あ)
　上記周知事項１にも見られるように、信号電極を駆動するドライバー、また、信号電極、走査電極、対向電極を駆動するドライバーを制御するコントロール回路はマトリクス型液晶表示装置として当然持つべき構成にすぎないから、上記相違点(あ)は実質的な相違点ではない。
　
７−２．相違点(い)
　上記周知事項１，２にも見られるように、アクティブ・マトリクス型液晶表示装置の画素トランジスタとして薄膜トランジスタ(ＴＦＴ)を用いることは、きわめて良く行われているから、上記相違点(い)は当業者が当然採用すべき構成にすぎない。
　
７−３．相違点(う)
　上記刊行物１記載の発明の「行走査電極Ｇに印加される電位」と「対向共通電極Ｃに印加される電位」のように「同じ位相および振幅で変化」する電位が必要な場合、それらを別個に生成するのではなく、一個の生成源から双方の電位を生成するように構成することは、回路の簡略化や互いの電位変化の同一性を保つために当業者が当然採用すべきことにすぎない。
　そして、一つの信号から「同じ位相および振幅で変化」しつつその直流レベルが異なる信号を作り出す回路は、例えば上記周知事項３にもみられるようにきわめて良く知られているから、「電源回路」として「前記対向電圧発生回路から出力された前記対向電極に印加される交流信号に基づいて生成される、前記交流信号と同じ位相および振幅の交流の信号によって前記走査電極に送出される走査パルスのレベルを設定」するような回路を採用することは、「一個の生成源から双方の電位を生成するように構成する」ために、当業者が当然採用すべき構成にすぎない。
　したがって、上記相違点(う)は当業者が容易になし得たことである。
　
　そして、本件発明の奏する作用効果は、上記刊行物１記載の発明および上記周知事項から予測しうる範囲内のものである。
　
８．むすび
　以上のとおりであるから、本件発明は、特許法第２９条第２項の規定により特許を受けることができない。
　したがって、本件発明についての特許は拒絶の査定をしなければならない特許出願に対してされたものと認める。
　よって、特許法等の一部を改正する法律(平成６年法律第１１６号)附則第１４条の規定に基づく、特許法等の一部を改正する法律の施行に伴う経過措置を定める政令(平成７年政令第２０５号)第４条第２項の規定により、結論のとおり決定する。
【異議決定日】
平成１４年４月２日（２００２．４．２）
【訂正の要旨】
訂正の要旨
（ａ）　特許請求の範囲の請求項１を、
「並行する複数の信号電極と、該信号電極と交叉する複数の走査電極と、該信号電極と該走査電極との各交点の近傍に設けられ該信号電極および該走査電極に接続されるＴＦＴと、該ＴＦＴによって駆動される絵素電極と、該絵素電極に対向して設けられ交流信号が印加される対向電極と、を有する表示装置の駆動回路であって、
　前記駆動回路は、前記信号電極に接続されるソースドライバと、前記走査電極に接続されるゲートドライバと、前記対向電極に交流信号を印加する対向電圧発生回路と、該ソースドライバ、ゲートドライバおよび対向電圧発生回路に制御信号を入力するコントロール回路と、前記ゲートドライバに電圧を供給する電源回路とを有し、
　前記ＴＦＴのゲートＯＦＦ期間に、前記電源回路が前記対向電圧発生回路から出力された前記対向電極に印加される交流信号に基づいて生成される、前記交流信号と同じ位相および振幅の交流の信号によって前記走査電極に送出される走査パルスのレベルを設定し、これによって、前記ＴＦＴのゲートＯＦＦ期間に、前記交流信号と同じ位相および振幅の前記交流の信号が、走査パルスとして前記ゲートドライバより前記走査電極に送出されることを特徴とする表示装置の駆動回路。」
　と訂正する。
（ｂ）　明細書の「課題を解決するための手段」の項を
「本発明の表示装置の駆動回路は、並行する複数の信号電極と、該信号電極と交叉する複数の走査電極と、該信号電極と該走査電極との各交点の近傍に設けられ該信号電極および該走査電極に接続されるＴＦＴと、該ＴＦＴによって駆動される絵素電極と、該絵素電極に対向して設けられ交流信号が印加される対向電極と、を有する表示装置の駆動回路であって、前記駆動回路は、前記信号電極に接続されるソースドライバと、前記走査電極に接続されるゲートドライバと、前記対向電極に交流信号を印加する対向電圧発生回路と、該ソースドライバ、ゲートドライバおよび対向電圧発生回路に制御信号を入力するコントロール回路と、前記ゲートドライバに電圧を供給する電源回路とを有し、前記ＴＦＴのゲートＯＦＦ期間に、前記電源回路が前記対向電圧発生回路から出力された前記対向電極に印加される交流信号に基づいて生成される、前記交流信号と同じ位相および振幅の交流の信号によって前記走査電極に送出される走査パルスのレベルを設定し、これによって、前記ＴＦＴのゲートＯＦＦ期間に、前記交流信号と同じ位相および振幅の前記交流の信号が、走査パルスとして前記ゲートドライバより前記走査電極に送出されることを特徴としており、そのことにより上記目的が達成される。」
　と訂正する。
（５４）【発明の名称】
表示装置の駆動回路
（５７）【特許請求の範囲】
　【請求項１】　並行する複数の信号電極と、該信号電極と交叉する複数の走査電極と、該信号電極と該走査電極との各交点の近傍に設けられ該信号電極および該走査電極に接続されるＴＦＴと、該ＴＦＴによって駆動される絵素電極と、該絵素電極に対向して設けられ交流信号が印加される対向電極と、を有する表示装置の駆動回路であって、
　前記駆動回路は、前記信号電極に接続されるソースドライバと、前記走査電極に接続されるゲートドライバと、前記対向電極に交流信号を印加する対向電圧発生回路と、該ソースドライバ、ゲートドライバおよび対向電圧発生回路に制御信号を入力するコントロール回路と、前記ゲートドライバに電圧を供給する電源回路とを有し、
　前記ＴＦＴのゲートＯＦＦ期間に、前記電源回路が
、前記対向電圧発生回路から出力された前記対向電極に印加される前記交流信号に基づいて生成される、前記交流信号と同じ位相および振幅の交流の信号によって前記走査電極に送出される走査パルスのレベルを設定し、これによって、前記ＴＦＴのゲートＯＦＦ期間に、前記交流信号と同じ位相および振幅の前記交流の信号が、走査パルスとして、前記ゲートドライバより前記走査電極に送出される
【発明の詳細な説明】
　【０００１】
　【発明の属する技術分野】
　本発明は、並行する複数の信号電極、該信号電極と交叉する複数の走査電極、該信号電極と該走査電極との各交点の近傍に設けられた絵素電極、及び該絵素電極に対向して設けられた対向電極を有する表示ユニットを駆動するための、表示装置の駆動回路に関する。以下ではマトリクス型液晶表示装置を表示装置の例にとって説明を行うが、本発明は他の種類の表示装置、例えばＥＬ（エレクトロルミネッセンス）表示装置、プラズマディスプレイ等の駆動回路にも適用可能である。
　【０００２】
　【従来の技術】
　図７に従来のマトリクス型液晶表示装置の一例を模式的に示す。図７のマトリクス型液晶表示装置は、マトリクス状に配列された絵素電極１０３を駆動するためのスイッチング素子としてＴＦＴ（Ｔｈｉｎ　Ｆｉｌｍ　Ｔｒａｎｓｉｓｔｏｒ）１０４を用いたＴＦＴ液晶パネル１００を備えている。ＴＦＴ液晶パネル１００は、互いに平行に配設された複数の走査電極１０１と、走査電極１０１に直交して互いに平行に配設された複数の信号電極１０２とを備えている。走査電極１０１と信号電極１０２との各交点に近接して、絵素電極１０３を駆動するためのＴＦＴ１０４が設けられている。絵素電極１０３に対向して対向電極１０５が設けられている。対向電極１０５は図７では模式的に示されているが、通常は、全ての絵素電極１０３に共通に配設された１個の導電層であり、対向電極１０５には、信号電極１０２の信号振幅を小さくする為に交流化電圧（以下、「対向電圧」という）が印加される。
　【０００３】
　ＴＦＴ液晶パネル１００はソースドライバ２及びゲートドライバ３を含む駆動回路によって駆動される。ソースドライバ２及びゲートドライバ３はＴＦＴパネル１００の信号電極１０２及び走査電極１０１にそれぞれ接続されている。ソースドライバ２は、入力されるアナログ画像信号或いは映像信号をサンプルし、ホールドした後、信号電極１０２に供給する。他方、ゲートドライバ３は走査電極１０１に対して駆動信号として走査パルスを順次に出力する。ゲートドライバ３及びソースドライバ２に入力されるタイミング信号等の制御信号はコントロール回路４から与えられる。
　【０００４】
　図６に従来のマトリクス型液晶表示装置に於ける各走査電極１０１に印加される走査パルスの波形を示す。
　【０００５】
　【発明が解決しようとする課題】
　従来の駆動方式におけるマトリクス型液晶表示装置では、走査電極１０１に印加される走査パルスがＬＯＷレベルである期間（即ち、その走査電極１０１に接続されているＴＦＴ１０４がＯＦＦしている期間、以下では「ゲートＯＦＦ期間」と称す）に於いても対向電極には対向電圧が印加されている。その為、通常はゲートＯＦＦ期間ではＴＦＴ１０４を確実にＯＦＦ出来るように、走査パルスのＬＯＷレベルを低くすることが行われている。しかし、走査パルスのＬＯＷレベルを低くし過ぎると、ＴＦＴ１０４を確実にＯＦＦすることができない。このように、ゲートＯＦＦ期間に於いてＴＦＴ１０４を確実にＯＦＦすることが困難である。
　【０００６】
　この様子を図４及び図５を用いてより詳細に説明する。対向電圧の交流成分の振幅を±Ｖｃ、ＴＦＴ１０４のゲートＧとドレインＤとの間の浮遊容量をＣＧＤ、絵素電極１０３と対向電極１０５との間の容量をＣＬＣとすると、対向電圧印加時にはＴＦＴ１０４のドレインに印加される電圧は、ΔＶｘ＝±Ｖｃ／（１＋ＣＧＤ／ＣＬＣ）だけ変動する。
　【０００７】
　上記のようにΔＶｘだけ変動する電圧がドレインに印加されるので、ＴＦＴ１０４のゲート印加電圧Ｖｇとドレイン電流ＩＤとの間の関係は、図５に示すように変化する。このように、ＴＦＴ１０４をＯＦＦにするために最適なゲート印加電圧の値がＶＬとＶＨとの間で変動する。従って、ゲートＯＦＦ期間の走査パルスのレベルを最適なＯＦＦ電圧に設定するのは困難である。最適なＯＦＦ電圧が印加されていない場合にはＴＦＴ１０４は完全にはＯＦＦしていないので、液晶素子の劣化等が生じ、表示装置の信頼性が低下する。
　【０００８】
　本発明の目的は、絵素電極が駆動されない期間（上述の従来例では、ゲートＯＦＦ期間）に於いては、該絵素電極が確実に非駆動状態となり、この非駆動状態が長期に持続することにより表示装置の劣化等が生ずることのない表示装置の駆動回路を提供することにある。
　【０００９】
　【課題を解決するための手段】
　本発明の表示装置の駆動回路は、並行する複数の信号電極と、該信号電極と交叉する複数の走査電極と、該信号電極と該走査電極との各交点の近傍に設けられ該信号電極および該走査電極に接続されるＴＦＴと、該ＴＦＴによって駆動される絵素電極と、該絵素電極に対向して設けられ交流信号が印加される対向電極と、を有する表示装置の駆動回路であって、前記駆動回路は、前記信号電極に接続されるソースドライバと、前記走査電極に接続されるゲートドライバと、前記対向電極に交流信号を印加する対向電圧発生回路と、該ソースドライバ、ゲートドライバおよび対向電圧発生回路に制御信号を入力するコントロール回路と、前記ゲートドライバに電圧を供給する電源回路とを有し、前記ＴＦＴのゲートＯＦＦ期間に、前記電源回路が
、前記対向電圧発生回路から出力された前記対向電極に印加される前記交流信号に基づいて生成される、前記交流信号と同じ位相および振幅の交流の信号によって前記走査電極に送出される走査パルスのレベルを設定し、これによって、前記ＴＦＴのゲートＯＦＦ期間に、前記交流信号と同じ位相および振幅の前記交流の信号が、走査パルスとして、前記ゲートドライバより前記走査電極に送出される
　【００１０】
　【００１１】
　【００１２】
　【発明の実施の形態】
　本発明の実施の形態について以下に説明する。
　【００１３】
　図１に本発明の実施の形態に於けるゲートドライバ３近傍の構成を示す。本実施の形態の構成は、図１に示す構成以外は図７に示したものと同様のものとすることができる。本実施の形態では、対向電圧発生回路８の出力は通常の駆動回路に於けるのと同様に対向電圧として出力されるのに加えて、ゲートドライバ３の複数の動作電圧を供給する電源回路９の入力ともされている。
　【００１４】
　対向電圧発生回路８は、増幅器８４を備えており、増幅器８４の反転入力端子には抵抗８１を介してコントロール回路４からライン反転パルスが入力されている。増幅器８４の非反転入力端子には可変直流電源８３が接続されている。抵抗８１及び８２の値を適宜に設定することによって、所望の対向電圧の振幅±Ｖｃが得られる。
　【００１５】
　電源回路９は、抵抗９１、３個のツェナーダイオード９３ａ〜９３ｃ及び抵抗９２による直列回路を有している。この直列回路の抵抗９１側の一端はＨＩＧＨレベルのゲート電圧源ＶＧＨに接続されており、抵抗９２側の一端はＬＯＷレベルのゲート電圧源ＶＧＬに接続されている。増幅器８４の出力はツェナーダイオード９３ｂ及び９３ｃのノードに接続されている。電源回路９は、３個のコンデンサ９５ａ〜９５ｃによる他の直列回路も有している。各コンデンサ９５ａ〜９５ｃはツェナーダイオード９３ａ〜９３ｃとそれぞれ並列に接続されている。即ち、コンデンサ９５ａの一端は抵抗９１及びコンデンサ９３ａのノードに、コンデンサ９５ａ及び９５ｂのノードはツェナーダイオード９３ａ及び９３ｂのノードに、コンデンサ９５ｂ及び９５ｃのノードはツェナーダイオード９３ｂ及び９３ｃのノードに、コンデンサ９５ｃの他端は抵抗９２及びコンデンサ９３ｃのノードにそれぞれ接続されている。また、ツェナーダイオード９３ａ、９３ｂ及び９３ｃのツェナー電圧をそれぞれ、Ｖｚ１、Ｖｚ２及びＶｚ３とする。
　【００１６】
　このような構成の電源回路９からは、３種類の電圧パルスＶＤＤ、ＶＣＣ及びＶＥＥ（ＶＤＤ＞ＶＣＣ＞ＶＥＥ）が出力され、ゲートドライバ３に入力される。電圧パルスＶＣＣはゲートドライバ３の論理制御に用いられる。電圧パルスＶＤＤ及びＶＥＥの波形を図２の（ａ）及び（ｃ）にそれぞれ示す。尚、図２の（ｂ）は対向電極駆動電圧ＶＣＯＭの波形を示す。パルスＶＤＤは従来の走査パルスに相当するパルス信号に対向電圧の交流分±Ｖｃが重畳されたものとなり、電圧パルスＶＥＥは交流分±Ｖｃと同一の振幅で対向電圧と同じ位相のパルス信号となる。
　【００１７】
　また、コントロール回路４からゲートドライバ３への制御信号である走査クロックパルス及び走査スタートパルスは、図１に示すように、ホトカプラ５０１及び５０２をそれぞれ介して与えられる。
　【００１８】
　ゲートドライバ３は、従来と同様のタイミングで電圧パルスＶＤＤ及びＶＥＥを走査パルスとして各走査電極１０１に送出する。即ち、走査電極１０１に接続されるＴＦＴ１０４がＯＮされる時には電圧パルスＶＤＤが選択され、ＯＦＦ期間には電圧パルスＶＥＥが選択される。走査パルスの波形を図２の（ｄ）に示す。ＯＦＦ期間に於いては走査パルス（実線）の位相は対向電圧（波線）のそれと同じであり、走査パルスの振幅は対向電圧の交流分±Ｖｃと同一になる。図２の（ｄ）から明らかなように、ゲートＯＦＦ期間に於いては、対向電圧の交流分±Ｖｃに基づくドレイン電極の電位変動±Ｖｃ／（１＋ＣＧＤ／ＣＬＣ）が走査パルスの振幅によって相殺され、ドレイン電圧と走査パルスとの差Ｖｇｄは常に一定となるので、ＴＦＴ１０４のゲートに印加される電圧は一定となり、その値は、この差Ｖｇｄによって決定される。この差Ｖｇｄの値は任意に設定することが出来るので、最適なＯＦＦ電圧を印加することができ、ＴＦＴ１０４を確実にＯＦＦすることができる。
　【００１９】
　絵素電極近傍に付加的に形成される補助容量が設けられる表示装置、ＯＡ用の表示装置等の駆動回路に於いても上述と同様の構成とすることができる。
　【００２０】
　【発明の効果】
　本発明の表示装置の駆動回路によって、絵素電極が駆動されない期間に於いては、該絵素電極が確実に非駆動状態となる。従って、表示装置の劣化が抑制され、表示装置の信頼性を向上させることができる。
【図面の簡単な説明】
　【図１】
　本発明の実施の形態を説明する回路図である。
　【図２】
　その実施の形態の動作を説明するための信号波形図である。
　【図３】
　従来例に於ける信号波形図である。
　【図４】
　表示装置の絵素電極近傍の等価回路図である。
　【図５】
　従来に於けるＴＦＴのゲート印加電圧とドレイン電流との間の関係を示すグラフである。
　【図６】
　各走査電極に印加される走査パルスを示す図である。
　【図７】
　液晶表示装置の構成を示す図である。
　【符号の説明】
　２　　　　　ソースドライバ
　３　　　　　ゲートドライバ
　４　　　　　コントロール回路
　８　　　　　対向電圧発生回路
　９　　　　　電源回路
　８１　　　　抵抗
　８２　　　　抵抗
　８３　　　　可変直流電源
　８４　　　　増幅器
　９１　　　　抵抗
　９２　　　　抵抗
　９３ａ　　　ツェナーダイオード
　９３ｂ　　　ツェナーダイオード
　９３ｃ　　　ツェナーダイオード
　９５ａ　　　コンデンサ
　９５ｂ　　　コンデンサ
　９５ｃ　　　コンデンサ
　１００　　　ＴＦＴ液晶パネル
　１０１　　　走査電極
　１０２　　　信号電極
　１０３　　　絵素電極
　１０４　　　ＴＦＴ
　１０５　　　対向電極
　５０１　　　ホトカプラ
　５０２　　　ホトカプラ
　ＶＧＨ、ＶＧＬ　ゲート電圧源